(57)【要約】【課題】ハンガーレール内を移送可能なランナーに吊下支持されたスラットの移送操作と回動操作を切り替え可能に構成された縦型ブラインド、及びランナーフックを提供する。【解決手段】本発明の縦型ブラインドは、ハンガーレール１内を移送可能なランナー２に吊下支持されたスラット３の移送操作と回動操作を切り替え可能に構成された縦型ブラインドであって、複数のスラット３と、下端部にフック部２８を有し、該フック部２８により各スラット３を吊下支持するとともに、当該スラット３を回動可能な吊下軸として各ランナーに設けられるランナーフック１２とを備える。ランナーフック１２のフック部２８の下端形状は、隣接するスラット３の端部３ｂとの干渉を避けるよう傾斜した形状を有する。【選択図】図５
2015212454.tif 000002
【特許請求の範囲】
【請求項１】
ハンガーレール内を移送可能なランナーに吊下支持されたスラットの移送操作と回動操作を切り替え可能に構成された縦型ブラインドであって、
複数のスラットと、
下端部にフック部を有し、該フック部により各スラットを吊下支持するとともに、当該スラットを回動可能な吊下軸として各ランナーに設けられるランナーフックとを備え、
前記フック部の下端形状が、隣接するスラットの端部との干渉を避けるよう傾斜した形状を有することを特徴とする縦型ブラインド。
【請求項２】
前記フック部の下端形状が、当該隣接するスラットの端部形状及び回動状態を加味して定められた複数種の傾斜面を有するように構成されていることを特徴とする、請求項１に記載の縦型ブラインド。
【請求項３】
前記スラットは、当該スラットの上端側中央に設けられた吊下支持用の掛合穴の両側近傍に突起部を有することを特徴とする、請求項１又は２に記載の縦型ブラインド。
【請求項４】
ハンガーレール内を移送可能なランナーに吊下支持されたスラットの移送操作と回動操作を切り替え可能に構成された縦型ブラインドであって、
複数のスラットと、
下端部にフック部を有し、該フック部により各スラットを吊下支持するとともに、当該スラットを回動可能な吊下軸として各ランナーに設けられるランナーフックとを備え、
前記スラットは、当該スラットの上端側中央に設けられた吊下支持用の掛合穴の両側近傍に突起部を有することを特徴とする縦型ブラインド。
【請求項５】
前記スラットの移送操作と回動操作は、無端状の操作コードの操作を介して切り替え可能に構成され、前記無端状の操作コードにて室内側の操作コードを下方に引いた際には各スラットが閉方向に動作し、室外側の操作コードを下方に引いた際には各スラットが開方向に動作するよう、前記無端状の操作コードに連動して動作する移送コードが前記ハンガーレール内を周回可能に配設された状態で、前記移送コードの各端部が先頭ランナーに室内側から取着されていることを特徴とする、請求項１〜４のいずれか一項に記載の縦型ブラインド。
【請求項６】
ハンガーレール内を移送可能なランナーに設けられ、下端部にフック部を有し、該フック部により各スラットを吊下支持するとともに、当該スラットを回動可能な吊下軸として各ランナーに設けられるランナーフックであって、
前記フック部の下端形状が、隣接するスラットの端部との干渉を避けるよう傾斜した形状を有することを特徴とするランナーフック。
【発明の詳細な説明】
【技術分野】
【０００１】
本発明は、スラットの移送操作と回動操作を切り替え可能とした縦型ブラインド、及びランナーフックに関する。
【背景技術】
【０００２】
縦型ブラインドは、ハンガーレール内に多数のランナーが移動可能に支持され、各ランナーには吊下軸を介してそれぞれスラットが吊下支持される。そして、操作装置の操作により、各スラットをハンガーレールに沿って移送し、あるいは各スラットを同位相で回動して、室内への採光量を調節可能としている。
【０００３】
このような縦型ブラインドの操作装置の一例として、ハンガーレールの一端に垂下される操作コードを操作することにより、スラットを全閉状態まで回動させた後に、移送操作を開始する構成が開示されている（例えば、特許文献１参照）。
【０００４】
特許文献１に開示された縦型ブラインドでは、操作コードの操作により各スラットを回動操作可能とするとともに、操作コードの操作により、各ランナーをハンガーレールに沿って移送する移送コードを周回させ、スラットの移送操作と回動操作を切り替え可能としている。この特許文献１に開示された縦型ブラインドにおいて、各ランナーに設けられた吊下軸の下端部にはスラットハンガーを介してスラットを吊下支持するためのフック部が形成されている。以下、ランナーに設けられ、スラットハンガー又はスラットを吊下支持するためのフック部が形成されている吊下軸を「ランナーフック」と称する。
【０００５】
特許文献１に開示された縦型ブラインドにおいて、ランナーフックの下端部（当該吊下軸の下端部に形成されているフック部）は、スラットハンガーを介してスラットを吊下支持するため下方に向かって開口する二股状に形成されている。そして、そのスラットハンガーの両端部には、当該スラットハンガーの厚さを増大させた鍔状のガイド部が形成されている。
【０００６】
このようなスラットハンガーを用いる縦型ブラインドでは、例えば、スラットの畳み込み操作時に、当該ガイド部により、スラットの端部がランナーフックに引っ掛からないようになっている。
【先行技術文献】
【特許文献】
【０００７】
【特許文献１】国際公開第２０１３／００５６７８号
【発明の概要】
【発明が解決しようとする課題】
【０００８】
前述したように、スラットの吊下支持のためにスラットハンガーが用いられ、スラットハンガーの両端部に当該スラットハンガーの厚さを増大させた鍔状のガイド部が形成されている縦型ブラインドでは、当該ガイド部により、スラットの端部がランナーフックに引っ掛からないようになっている。
【０００９】
一方で、縦型ブラインドにおいて、アルミニウム製のスラット（以下、「アルミスラット」と称する）を用いる用途がある。このアルミスラットは、例えば厚さ１ｍｍ以下の極薄サイズで形成される。
【００１０】
更に、この極薄のアルミスラットは、そのスラットそのものの剛性を生かして、スラットハンガーを用いず、アルミスラットの上端側中央に、吊下支持用の掛合穴が設けられる。また、このアルミスラット用に従来から用いられるランナーフックでは、その下端側のフック部の全体外形が略円柱状に形成される。そして、この略円柱状の全体外形の長尺方向略中央部における一側部にて開口し、その略円柱状の円形断面の径方向より下方に向けて当該略円柱状の軸上付近まで穿設された案内溝と、該案内溝の下縁部から更に当該軸上の上方に向けて穿設され、当該開口と略平行方向に透孔する透孔溝とにより、当該アルミスラットの掛合穴を介してアルミスラットを掛装し係止可能とする略Ｖ字状に穿設された引掛溝によって当該フック部が形成されている。そして、このフック部の底面、即ちランナーフックの下端面は略円形に形成されている。したがって、このアルミスラット用に従来から用いられるランナーフックは、長尺方向中央部からフック部の底面に向かって略円柱状の外周面を維持した形状を有する。このような形状を有するランナーフックを用いることにより、アルミスラットの上端側中央に設けられた掛合穴に当該ランナーフックにおけるフック部を掛装させることで、アルミスラットが吊下支持される。
【００１１】
一方で、吊下支持された状態のアルミスラットは、可撓性を示し、スラットを畳み込む際に、スラットの移送操作と回動操作に起因して、スラット同士の重なりが大きくなり、スラットの端部がランナーフックに干渉し、引っ掛かりやすくなるという問題がある。
【００１２】
したがって、例えばアルミスラットなどの極薄のスラットを用いる際に、スラットの端部がランナーフックに干渉せず、引っ掛かりが生じないような構成が要望される。
【００１３】
本発明は、上述の問題を鑑みて、スラットの移送操作と回動操作を切り替え可能に構成された縦型ブラインド、及びランナーフックを提供することを目的とする。
【課題を解決するための手段】
【００１４】
本発明による一態様の縦型ブラインドは、ハンガーレール内を移送可能なランナーに吊下支持されたスラットの移送操作と回動操作を切り替え可能に構成された縦型ブラインドであって、複数のスラットと、下端部にフック部を有し、該フック部により各スラットを吊下支持するとともに、当該スラットを回動可能な吊下軸として各ランナーに設けられるランナーフックとを備え、前記フック部の下端形状が、隣接するスラットの端部との干渉を避けるよう傾斜した形状を有することを特徴とする。
【００１５】
本発明による一態様の縦型ブラインドにおいて、前記フック部の下端形状が、当該隣接するスラットの端部形状及び回動状態を加味して定められた複数種の傾斜面を有するように構成されていることを特徴とする。
【００１６】
本発明による一態様の縦型ブラインドにおいて、前記スラットは、当該スラットの上端側中央に設けられた吊下支持用の掛合穴の両側近傍に突起部を有することを特徴とする。
【００１７】
更に、本発明による別態様の縦型ブラインドにおいて、ハンガーレール内を移送可能なランナーに吊下支持されたスラットの移送操作と回動操作を切り替え可能に構成された縦型ブラインドであって、複数のスラットと、下端部にフック部を有し、該フック部により各スラットを吊下支持するとともに、当該スラットを回動可能な吊下軸として各ランナーに設けられるランナーフックとを備え、前記スラットは、当該スラットの上端側中央に設けられた吊下支持用の掛合穴の両側近傍に突起部を有することを特徴とする。
【００１８】
本発明による前記一態様の縦型ブラインド又は前記別態様の縦型ブラインドにおいて、前記スラットの移送操作と回動操作は、無端状の操作コードの操作を介して切り替え可能に構成され、前記無端状の操作コードにて室内側の操作コードを下方に引いた際には各スラットが閉方向に動作し、室外側の操作コードを下方に引いた際には各スラットが開方向に動作するよう、前記無端状の操作コードに連動して動作する移送コードが、前記ハンガーレール内を周回可能に配設された状態で、前記移送コードの各端部が先頭ランナーに室内側から取着されていることを特徴とする。
【００１９】
更に、本発明によるランナーフックは、ハンガーレール内を移送可能なランナーに設けられ、下端部にフック部を有し、該フック部により各スラットを吊下支持するとともに、当該スラットを回動可能な吊下軸として各ランナーに設けられるランナーフックであって、前記フック部の下端形状が、隣接するスラットの端部との干渉を避けるよう傾斜した形状を有することを特徴とする。
【発明の効果】
【００２０】
スラットを吊下支持する縦型ブラインドにおいて、スラットの畳み込み時にスラットが全閉状態からほぼ１８０度反転した逆全閉状態まで回動される場合に、スラットハンガーなど他の干渉防止部材を用いることなく当該干渉を防ぎ、隣接するスラットの端部との引っ掛かりを防止することができる。
【図面の簡単な説明】
【００２１】
【図１】本発明による一実施形態の縦型ブラインドの構成を示す正面図である。
【図２】本発明による一実施形態の縦型ブラインドの構成を示す平面図である。
【図３】本発明による一実施形態の縦型ブラインドにおけるランナーの構成を示す断面図である。
【図４】（ａ）, （ｂ）は、本発明による一実施形態の縦型ブラインドにおけるランナーフックの外形を示す説明図である。
【図５】（ａ）, （ｂ）, （ｂ）は、本発明による一実施形態の縦型ブラインドにおけるランナーフックの外形を示す説明図である。
【図６】（ａ）, （ｂ）は、本発明による一実施形態の縦型ブラインドの実施例１として、ランナーフックの作用を説明する図である。
【図７】（ａ）, （ｂ）は、比較例の縦型ブラインドとして、従来からのランナーフックの作用を説明する図である。
【図８】（ａ）, （ｂ）は、本発明による一実施形態の縦型ブラインドの実施例２として、ランナーフックの作用を説明する図である。
【図９】（ａ）, （ｂ）は、本発明による一実施形態の縦型ブラインドとして、左操作右納まりの形態における移送コードの配回しとスラットの動きについて、比較例とともに説明する図である。
【図１０】（ａ）, （ｂ）は、本発明による一実施形態の縦型ブラインドとして、右操作左納まりの形態における移送コードの配回しとスラットの動きについて、比較例とともに説明する図である。
【発明を実施するための形態】
【００２２】
以下、図面を参照して、本発明による一実施形態の縦型ブラインドを説明する。尚、本願明細書中、図１に示す縦型ブラインドの正面図に対して、図示上方及び図示下方をスラットの吊り下げ方向に準じてそれぞれ上方向（又は上側）及び下方向（又は下側）と定義し、図示前方向を縦型ブラインドの室内側（又は前側）、及び、図示後方向を縦型ブラインドの室外側（又は後側）と定義して説明する。例えば、縦型ブラインドの前後方向と称するときは、図１の正面図における図示面に対して垂直な方向を云う。
【００２３】
（縦型ブラインドの構成）
まず、図面を参照して、本発明による一実施形態の縦型ブラインドについて説明する。図１は、本発明による一実施形態の縦型ブラインドの構成を示す正面図である。図２は、本発明による一実施形態の縦型ブラインドの構成を示す平面図である。
【００２４】
図１及び図２に示す縦型ブラインドは、ハンガーレール１から多数枚のスラット３が吊下支持され、各スラット３はハンガーレール１内に移動可能に支持されるランナー２（先頭ランナー２ａ）から吊下支持される。
【００２５】
より具体的には、各スラット３の上端側中央に、吊下支持用の掛合穴３ａが設けられる。この掛合穴３ａに、詳細に後述する本発明に係るランナーフック１２の下端部に形成されているフック部２８を掛装させることで、スラット３が吊下支持される。このランナーフック１２については詳細に後述するが、スラット３を回動可能に吊下支持する吊下軸として構成され、各ランナー２に設けられる。
【００２６】
スラット３は、極薄の素材（本例では、厚さ１ｍｍ以下のアルミニウム製）で構成され、複数のスラット３が、配設されている。
【００２７】
各ランナー２は図２に示すスペーサー４６で連結され、図１においては、先頭ランナー２ａがハンガーレール１の右端側へ移送されると、後続のランナー２がスペーサー４６を介して等間隔を隔てて順次引き出されて、スラット３がハンガーレール１の右端側へ引き出される。
【００２８】
各ランナー２には、３条のスプラインが刻設されたチルト軸１６が軸方向に相対移動可能に挿通され、このチルト軸１６の両端はハンガーレール１の両端にて回転可能に支持されている。
【００２９】
また、先頭ランナー２ａがハンガーレール１の左側へ移送されると、後続のランナー２が先頭ランナー２ａにより順次ハンガーレール１の左側へ押し戻されて、スラット３がハンガーレール１の左側へ畳み込まれる。
【００３０】
各スラット３の下端部にはバランスウェイト７が吊下支持され、各バランスウェイト７はボトムコード７ａで連結されて、風等によるスラット３のバタつきを防止するようになっている。
【００３１】
そして、ハンガーレール１の一端に設けられる操作装置４から無端状の操作コード（ボールチェーン５）が垂下され、このボールチェーン５の操作により、操作装置４内に設けられるギヤ機構（図示せず）を介してチルト軸１６が回転され、チルト軸１６の回転に伴って各ランナー２のランナーフック１２が回転され、各ランナー２に吊下支持されるスラット３が回動されるようになっている。また、移送コード６が、ハンガーレール１内を周回可能に配設され、先頭ランナー２ａに取着されている。そして、当該ギヤ機構に対してクラッチ動作を経て連動する移送プーリー８には移送コード６が掛装され、移送プーリー８の回転に基づいて、移送コード６がハンガーレール１内を周回するようになっている。このクラッチ動作の詳細は、特許文献１と同様であるため、更なる詳細な説明は省略する。このボールチェーン５の操作により、スラット３が全閉状態まで回動されると、移送コード６が移送され、その後に各スラット３がハンガーレール１に沿って移送されるようになっている。
【００３２】
従って、ボールチェーン５を操作して先頭ランナー２ａを移動させれば、その先頭ランナー２ａに追随して後続のランナー２が順次引き出され、あるいは後続のランナー２が先頭ランナーにより順次押し戻される。このような動作により、各ランナー２に吊下支持されたスラット３がハンガーレール１に沿って引き出され、あるいはハンガーレール１の他端側に畳み込まれる。
【００３３】
（ランナーフックの構成）
本発明に係るランナーフック１２の具体的構成について、ランナー２の構成とともに、図３乃至図５を参照して説明する。図３は、本発明による一実施形態の縦型ブラインドにおけるランナー２の構成を示す断面図である。図４（ａ）, （ｂ）、並びに、図５（ａ）, （ｂ）, （ｃ）は、本発明による一実施形態の縦型ブラインドにおけるランナーフック１２の構成を示す図である。尚、図５（ａ）はランナーフック１２の正面図であり、図５（ｂ）はランナーフック１２の側面図であり、図５（ｃ）はランナーフック１２の下面図である。尚、図４（ａ）は、図５（ａ）の正面図で示されるランナーフック１２を、その長尺方向の中心軸を基に左方向に４５°回転させた際に視認される形状を示す図であり、図４（ｂ）は、図５（ａ）の正面図で示されるランナーフック１２を、その長尺方向の中心軸を基に左方向に１３５°回転させた際に視認される形状を示す図である。
【００３４】
まず、図３を参照するに、ランナー２は、そのケース８の中央部から一側にかけて上方に開口した中空状の直方体部９が形成され、その直方体部９の側壁に形成された軸受孔（図示せず）にウォーム１１が回転可能に支持されている。ウォーム１１は、軸受孔に対しウォーム１１の径方向及び回転軸方向に若干のクリアランスを設けて支持されている。
【００３５】
ケース８の中央部において、直方体部９には弾性を有する合成樹脂で形成されたランナーフック１２がその軸心を上下方向として軸受部１３に回転可能に支持され、ランナーフック１２の上部にウォーム１１に噛み合うウォームホィール１４が常には相対回転不能に嵌合されている。
【００３６】
直方体部９の側壁にはウォームホィール１４の外周面に沿って抉られた保持部１５が形成され、その保持部１５間でウォームホィール１４が回転可能に支持されている。
【００３７】
ウォーム１１の中心部には、チルト軸１６が軸方向に相対移動可能に、且つ相対回転不能に挿通されている。従って、チルト軸１６が回転されると、ウォーム１１及びウォームホィール１４を介してランナーフック１２が回転される。
【００３８】
図４及び図５にも示すように、ランナーフック１２の上端部は二股状に形成されるとともに、その二股部分の先端にはランナーフック１２の径方向両側に楔状に突出するストッパー部１７が形成されている。ウォームホィール１４は中心部に貫通孔１８を備えた筒状に形成されている。
【００３９】
そして、ランナー２に対してランナーフック１２を装着する時には、貫通孔１８にストッパー部１７を縮径方向に撓ませながら挿入し、貫通孔１８の一端側（図３において上端側）にストッパー部１７を露出させると、ストッパー部１７がウォームホィール１４の一方の端縁に係合する。これにより、ランナーフック１２の長手方向中間部に設けられたフランジ部１９とストッパー部１７との間で、ウォームホィール１４が吊下軸１２に対し軸方向に相対移動不能に支持される。
【００４０】
ウォームホィール１４の上部外周面にはウォーム１１と噛み合う歯が形成されている。ウォームホィール１４の下部はその歯先と同一の外形を備えた円筒状に形成されて、ウォームホィール１４の上側部と下側部との間の境界部には段差が形成されている。そして、ランナーフック１２がケース８に対し上方へ移動しようとすると、この段差がウォーム１１の歯に係合するため、ランナーフック１２が容易には上方へ抜けないようになっている。
【００４１】
ランナーフック１２のフランジ部１９の下面には、中心に対し９０度の範囲でフランジ部１９を肉厚とする被回転規制部２１が形成されている。また、軸受部１３には被回転規制部２１に当接する回転規制部２２が形成されている。
【００４２】
そして、被回転規制部２１及び回転規制部２２の作用により、スラット３が全閉状態からほぼ１８０度反転した逆全閉状態まで回動されるときのランナーフック１２の回動範囲がほぼ１８０度に設定されている。
【００４３】
また、ランナーフック１２のフランジ部１９の上部には、径方向に突出してウォームホィール１４の内周面との間の摩擦を確保する摩擦生成部２３が形成されている。そして、摩擦生成部２３とウォームホィール１４の内周面との間に生成される摩擦により、常には吊下軸１２とウォームホィール１４とが一体に回転される。
【００４４】
また、スラット３が全閉状態あるいは逆全閉状態まで回動された後、ウォーム１１が同方向にさらに回転されると、ウォームホィール１４がランナーフック１２に対し空回りするようになっている。従って、スラット３の角度が不揃いであるときは、チルト軸１６を回動操作し続ければ、全てのスラット３が全閉方向、又は逆全閉状態まで回動される。
【００４５】
ランナー２は、ケース８の両側において水平方向に延びるローラー軸２４にローラー２５が回転可能に支持され、このローラー２５がハンガーレール１の内側面に突出されるリブ２６を案内レールとしてハンガーレール１内を移動するようになっている。
【００４６】
ランナー２のケース８の左右両側には、移送コード６を挿通可能とした透孔２７が形成されている。ハンガーレール１内で周回可能に引き回される移送コード６でランナー２の移送操作を行うコード操作仕様の縦型ブラインドでは、この透孔２７に移送コード６が挿通される。
【００４７】
尚、ランナーフック１２は、ウォームホィール１４を嵌合した状態でケース８の軸受部１３に上方から挿入される。ウォーム１１は径方向及び軸方向に若干のクリアランスを設けてケース８に支持され、ウォーム１１はウォームホィール１４を回避しながらウォームホィール１４に嵌合する。
【００４８】
また、ウォーム１１の外周面には螺旋状に連なる歯が形成され、その歯にウォームホィール１４の歯が噛み合っているので、その噛み合いにより常にはウォームホィール１４の上方への抜けが防止されている。
【００４９】
ランナーフック１２をケース８から取り外すには、ランナーフック１２を上方へ押し上げる。すると、ウォームホィール１４がウォーム１１を押しのけながら上方へ移動してウォーム１１から外れ、ランナーフック１２の上方への抜き取りが可能となる。
【００５０】
そして、各スラット３の上端側中央に、吊下支持用の掛合穴３ａが設けられる。この掛合穴３ａに、詳細に後述する本発明に係るランナーフック１２の下端部に形成されているフック部２８を掛装させることで、スラット３が吊下支持される。
【００５１】
ここで、図４及び図５を参照して、本発明に係るランナーフック１２において特徴的なフック部２８の下端形状について詳細に説明する。
【００５２】
ランナーフック１２のフック部２８の下端形状は、図４及び図５に示すように、ランナーフック１２の長尺方向の中心軸を基準に複数種の傾斜面２８ａ，２８ｂ，２８ａ’，２８ｂ’を有するとともに、略平行四辺形となる四辺を有する当該中心軸に対して垂直な底面２８ｃを有する。
【００５３】
傾斜面２８ａ及び２８ａ’の各々は、底面２８ｃ上の当該中心軸に対して、ほぼ同一の傾斜角を有している。同様に、傾斜面２８ｂ及び２８ｂ’の各々は、底面２８ｃ上の当該中心軸に対して、ほぼ同一の傾斜角を有している。ただし、傾斜面２８ａ及び２８ｂ（或いは傾斜面２８ａ及び２８ｂ’）の各々は、底面２８ｃ上の当該中心軸に対して、異なる傾斜角を有しており、スラットを畳み込む際に、スラット３が全閉状態からほぼ１８０度反転した逆全閉状態まで回動されるときに、図１に示す正面図において右側に配置されるスラット３の端部３ｂが干渉しない角度で傾斜している。同様に、傾斜面２８ａ’及び２８ｂ（或いは傾斜面２８ａ’及び２８ｂ’）の各々は、スラット３を畳み込む際に、スラット３が全閉状態からほぼ１８０度反転した逆全閉状態まで回動されるときに、図１に示す正面図において右側に配置されるスラット３の端部３ｂが干渉しない角度で傾斜している。
【００５４】
したがって、傾斜面２８ａと傾斜面２８ａ’の為す角度Ｒ１は、傾斜面２８ａと傾斜面２８ｂ’の為す角度Ｒ２とは異なる角度で形成されている。このように、ランナーフック１２のフック部２８の下端形状は、回動操作に係る開方向時及び閉方向時のそれぞれにおけるスラットの動きが異なることに適応させた複数種の傾斜角を有する傾斜面で形成されており、例えば、本実施形態の例では、Ｒ１＝６８度で、Ｒ２＝８８度となっている。
【００５５】
また、傾斜面２８ｂと接する当該下端部の底面２８ｃの一辺と底面２８ｃ上の当該中心軸との間の距離は、傾斜面２８ｂ’と接する当該下端部の底面２８ｃの一辺と底面２８ｃ上の当該中心軸との間の距離とほぼ等しくなるように形成されている（図５（ｃ）に示す距離ｄ）。同様に、傾斜面２８ａと接する当該下端部の底面２８ｃの一辺と底面２８ｃ上の当該中心軸との間の距離は、傾斜面２８ａ’と接する当該下端部の底面２８ｃの一辺と底面２８ｃ上の当該中心軸との間の距離とほぼ等しくなるように形成されている。
【００５６】
このようなフック部２８の下端形状を有するランナーフック１２の作用について図６及び図７を参照して説明する。図６（ａ）, （ｂ）は、本発明による一実施形態の縦型ブラインドの実施例１として、ランナーフック１２の作用を説明する図である。図７（ａ）, （ｂ）は、比較例の縦型ブラインドとして、従来からのランナーフック１１２の作用を説明する図である。
【００５７】
まず、図６を参照するに、本発明に係るランナーフック１２では、スラット３を畳み込む際に、スラット３が全閉状態からほぼ１８０度反転した逆全閉状態まで回動される場合でも、右側に配置されるスラット３の端部３ｂが干渉せず引っ掛からない。一方、図７を参照するに、例えば図示する当該ランナーフック１１２のように、その長尺方向中央部からフック部の底面に向かって略円柱状の外周面を維持した形状を有する場合では、スラット３が全閉状態からほぼ１８０度反転した逆全閉状態まで回動されると右側に配置されるスラット３の端部が干渉して引っ掛かりが生じることになる。
【００５８】
また、図８（ａ）, （ｂ）は、本発明による一実施形態の縦型ブラインドの実施例２として、ランナーフック１２の作用を説明する図である。図８に示す例では、ランナーフック１２の作用による効果をより高めるために、各スラット３の上端側中央に設けられた吊下支持用の掛合穴３ａの両側近傍に、半球状の突起部３ｃが設けられている。これにより、スラット３を畳み込む際に、スラット３が全閉状態からほぼ１８０度反転した逆全閉状態まで回動される場合でも、右側に配置されるスラット３の端部３ｂが干渉せず、より引っ掛からないようにすることができる。
【００５９】
（移送コードの配回し）
ここで、前述した図１及び図２に示す縦型ブラインドの例では、左操作左納まりの形態（室内側から見て左側に操作装置４があり、左方向にスラット３が移送する形態）を例に説明したが、左操作右納まりの形態（室内側から見て左側に操作装置４があり、右方向にスラット３が移送する形態）とすることや、右操作左納まりの形態（室内側から見て右側に操作装置４があり、左方向にスラット３が移送する形態）とするなど、操作装置４の位置とスラット３の移送方向について任意の形態で構成することができる。
【００６０】
そして、移送コード６の配回し法を変更するのみで、回動操作に係る開方向時及び閉方向時のそれぞれにおけるスラット３の動きを異なるものとすることができる。
【００６１】
図９（ａ）, （ｂ）は、左操作右納まりの形態（室内側から見て左側に操作装置４があり、右方向にスラット３が移送する形態）の本発明に係る縦型ブラインドにおける移送コード６の配回しとスラット３の動きについて、比較例とともに説明する図である。
【００６２】
まず、図９（ａ）に示す比較例では、移送コード６を、ハンガーレール１内を周回可能に配設した後、先頭ランナー２ａに室外側から取着した場合の構成例を示している。この構成では、室内側のボールチェーン５を下方に引いた時にはスラット３が開方向に動作し、室外側のボールチェーン５を下方に引いた時にはスラット３が閉方向に動作する。そして、右方向にスラット３を移送する際には、スラット３を全閉状態にしてから移送することになるが、この移送動作に伴ってスラット３を閉方向に動作する際に、各スラット３の回動動作が不揃いになりやすく、特に、スラット３の端部３ｂとランナーフック１２が干渉して回動動作が不揃いとなり、このためランナーフック１２がスラット３の端部３ｂがより干渉しやすくなるとともに美観としても好ましくない。
【００６３】
そこで、図９（ｂ）に示すように、本発明に係る形態では、移送コード６を、ハンガーレール１内を周回可能に配設した後、先頭ランナー２ａに室内側から取着するように構成する。この構成では、室内側のボールチェーン５を下方に引いた時にはスラット３が閉方向に動作し、室外側のボールチェーン５を下方に引いた時にはスラット３が開方向に動作する。そして、右方向にスラット３を移送する際には、スラット３を全閉状態にしてから移送することになるが、この移送動作に伴ってスラット３を閉方向に動作する際に、そのスラット３の回動動作を考慮して、ランナーフック１２のフック部２８に傾斜面２８ａ，２８ｂ，２８ａ’，２８ｂ’が形成されていることから、スラット３の端部３ｂとランナーフック１２が干渉しなくなって、各スラット３の回動動作も揃いやすくなり、このためランナーフック１２がスラット３の端部３ｂが干渉しにくくなるとともに美観としても好ましくなる。
【００６４】
続いて、図１０（ａ）, （ｂ）は、右操作左納まりの形態（室内側から見て右側に操作装置４があり、左方向にスラット３が移送する形態）の本発明に係る縦型ブラインドにおける移送コード６の配回しとスラット３の動きについて、比較例とともに説明する図である。
【００６５】
まず、図１０（ａ）に示す比較例では、移送コード６を、ハンガーレール１内を周回可能に配設した後、先頭ランナー２ａに室外側から取着した場合の構成例を示している。この構成では、室内側のボールチェーン５を下方に引いた時にはスラット３が開方向に動作し、室外側のボールチェーン５を下方に引いた時にはスラット３が閉方向に動作する。そして、左方向にスラット３を移送する際には、スラット３を全閉状態にしてから移送することになるが、この移送動作に伴ってスラット３を閉方向に動作する際に、各スラット３の回動動作が不揃いになりやすく、特に、スラット３の端部３ｂとランナーフック１２が干渉して回動動作が不揃いとなり、このためランナーフック１２がスラット３の端部３ｂがより干渉しやすくなるとともに美観としても好ましくない。
【００６６】
そこで、図１０（ｂ）に示すように、本発明に係る形態では、移送コード６を、ハンガーレール１内を周回可能に配設した後、先頭ランナー２ａに室内側から取着するように構成する。この構成では、室内側のボールチェーン５を下方に引いた時にはスラット３が閉方向に動作し、室外側のボールチェーン５を下方に引いた時にはスラット３が開方向に動作する。そして、左方向にスラット３を移送する際には、スラット３を全閉状態にしてから移送することになるが、この移送動作に伴ってスラット３を閉方向に動作する際に、そのスラット３の回動動作を考慮して、ランナーフック１２のフック部２８に傾斜面２８ａ，２８ｂ，２８ａ’，２８ｂ’が形成されていることから、スラット３の端部３ｂとランナーフック１２が干渉しなくなって、各スラット３の回動動作も揃いやすくなり、このためランナーフック１２がスラット３の端部３ｂが干渉しにくくなるとともに美観としても好ましくなる。
【００６７】
その他、右操作右納まりの形態、左操作左納まりの形態、或いは右操作両側納まりの形態や左操作両側納まりの形態なども同様に、室内側のボールチェーン５を下方に引いた時にはスラット３が閉方向に動作し、室外側のボールチェーン５を下方に引いた時にはスラット３が開方向に動作するよう、移送コード６を、ハンガーレール１内を周回可能に配設した後、移送コード６の各端部が先頭ランナー２ａに室内側から取着するように構成することで、ランナーフック１２がスラット３の端部３ｂが干渉しにくくなるとともに美観としても好ましくなり、本発明に係るランナーフック１２の機能と協働して、その作用・効果をより高めることができるようになる。
【００６８】
以上のように、本実施形態のランナーフック１２によれば、スラット３を吊下支持するランナーフック１２におけるフック部２８の下端形状が、隣接するスラット３の端部３ｂとの干渉を避けるよう傾斜した形状を有するように構成したため、スラット３の畳み込み時にスラット３が全閉状態からほぼ１８０度反転した逆全閉状態まで回動される場合に、スラットハンガーなど他の干渉防止部材を用いることなく当該干渉を防ぎ、隣接するスラット３の端部３ｂとの引っ掛かりを防止することができるようになる。また、スラット３の畳み込み時にスラット３の端部３ｂとランナーフック１２の干渉がランナーフック１２の斜面によって回避されるため、畳み込みがスムーズになる。
【００６９】
また、本実施形態のランナーフック１２によれば、スラット３を吊下支持するランナーフック１２におけるフック部２８の下端形状として、隣接するスラット３の端部３ｂの形状及び回動状態を加味して定められた複数種の傾斜面を有するように構成したため、隣接するスラット３に対して非干渉となるよう適合させることができる。
【００７０】
また、本実施形態のランナーフック１２及びスラット３としてアルミスラットを備える縦型ブラインドによれば、各スラット３の上端側中央に設けられた吊下支持用の掛合穴３ａの両側近傍に突起部３ｃを設けるように構成したときには、当該ランナーフック１２の作用による効果をより高めることができ、即ち、スラット３の畳み込み時にスラット３が全閉状態からほぼ１８０度反転した逆全閉状態まで回動される場合に、スラットハンガーなど他の干渉防止部材を用いることなく当該干渉を防ぎ、隣接するスラット３の端部３ｂとの引っ掛かりをより防止することができるようになる。
【００７１】
また、本実施形態のランナーフック１２及びスラット３としてアルミスラットを備える縦型ブラインドによれば、無端状の操作コード（ボールチェーン５）にて室内側の操作コードを下方に引いた時にはスラット３が閉方向に動作し、室外側の操作コードを下方に引いた時にはスラット３が開方向に動作するよう、移送コード６を、ハンガーレール１内を周回可能に配設された状態で、移送コード６の各端部が先頭ランナー２ａに室内側から取着するように構成したときには、ランナーフック１２がスラット３の端部３ｂが干渉しにくくなるとともに美観としても好ましくなり、本発明に係るランナーフック１２の機能と協働して、その作用・効果をより高めることができるようになる。
【００７２】
以上、特定の実施形態の例を挙げて本発明を説明したが、本発明は前述の実施形態の例に限定されるものではなく、その技術思想を逸脱しない範囲で種々変形可能である。例えば、スラット３として、アルミスラットを例に説明したが、上述した作用効果を発揮させるものであれば、例えば樹脂製のスラットや木製のスラットなど他の如何なる材料でもよい。
【００７３】
また、上述の実施形態の例では、スラット３を吊下支持するランナーフック１２におけるフック部２８の下端形状として、隣接するスラット３の端部３ｂの形状及び回動状態を加味して定められた複数種の傾斜面を有するように構成する例を説明したが、これは好適例であり、例えば、当該複数種の傾斜面からなる基本形状を基に滑らかな曲面形状となるよう成形してもよい。
【００７４】
また、上述の実施形態の例では、各スラット３の上端側中央に設けられた吊下支持用の掛合穴３ａの両側近傍に設けられた突起部３ｃの形状について半球状の例を説明したが、上述した作用効果を発揮させるものであれば他の如何なる形状でもよい。
【００７５】
また、上述の実施形態の例では、ランナーフック１２について、スラット３としてスラットハンガーを有しないアルミスラットを用いた際の縦型ブラインドへの適用について説明したが、当該ランナーフック１２は、スラットハンガーを有する縦型ブラインドへの適用を妨げるものではない。
【００７６】
また、上述の実施形態の例では、ランナーフック１２及びスラット３としてアルミスラットを備える縦型ブラインドについて説明したが、隣接するスラット３の端部３ｂの形状及び回動状態を加味した際に、本発明に係るランナーフック１２を用いる代わりに従来からのランナーフック１１２を用いた場合でも、各スラット３の上端側中央に設けられた吊下支持用の掛合穴３ａの両側近傍に突起部３ｃを設けることにより、スラット３の畳み込み時にスラット３が全閉状態からほぼ１８０度反転した逆全閉状態まで回動される場合に、スラットハンガーなど他の干渉防止部材を用いることなく当該干渉を防ぎ、隣接するスラット３の端部３ｂとの引っ掛かりを防止することが可能な形態の縦型ブラインドとすることもできる。
【産業上の利用可能性】
【００７７】
本発明によれば、スラット３を吊下支持するランナーフック１２におけるフック部２８の下端形状が、隣接するスラット３の端部３ｂとの干渉を避けるよう傾斜した形状を有するように構成したため、スラット３の畳み込み時にスラット３が全閉状態からほぼ１８０度反転した逆全閉状態まで回動される場合に、スラットハンガーなど他の干渉防止部材を用いることなく当該干渉を防ぎ、隣接するスラット３の端部３ｂとの引っ掛かりを防止することができることから、ランナーフック１２を利用する任意の縦型ブラインドの用途に有用である。
【符号の説明】
【００７８】
１  ハンガーレール
２  ランナー
２ａ  先頭ランナー
３  スラット
３ｂ  スラットの端部
４  操作装置
５  操作コード（ボールチェーン）
６  移送コード
１２  ランナーフック
２８  ランナーフックのフック部
２８ａ，２８ｂ，２８ａ’，２８ａ’  ランナーフックのフック部の傾斜面
２８ｃ  ランナーフックのフック部の底面
【図１】
2015212454.tif 000003
【図２】
2015212454.tif 000004
【図３】
2015212454.tif 000005
【図４】
2015212454.tif 000006
【図５】
2015212454.tif 000007
【図６】
2015212454.tif 000008
【図７】
2015212454.tif 000009
【図８】
2015212454.tif 000010
【図９】
2015212454.tif 000011
【図１０】
2015212454.tif 000012